(57)【要約】【課題】定量の内容物を被塗布部に均等に塗布でき、また、正立姿勢及び倒立姿勢のどちらでも内容物を計量室に供給できる塗布容器を提供する。【解決手段】塗布容器１は、内容物を吐出させるステム３０を有する吐出器と、ステム３０内に連通可能な計量室４０を有する液溜部４と、計量室４０に連通可能な保持空間５０に回転塗布体５１を備えた中栓部材５と、を備え、計量室４０には隔壁部材７が配設され、計量室４０の内面と隔壁部材７の外面との間に、隔壁部材７の内側と回転塗布体５１の保持空間５０とを連通する連通路９が画成され、隔壁部材７の天壁部に、隔壁部材７の内側と保持空間５０とを連通する連通孔７１１が形成され、隔壁部材７の内側から係合突部８１を保持空間５０に向けて付勢し、連通孔７１１を通した隔壁部材７の内側と保持空間５０との連通を遮断する。【選択図】図３
2018090262.tif 000002
【特許請求の範囲】
【請求項１】
内容物が収容される容器本体と、
前記容器本体の口部に装着されるとともに、前記内容物を吐出させるステムを有する吐出器と、
ステム軸方向に沿った前記ステムの外部側に配設され、前記ステム内に連通可能な計量室を有する液溜部と、
前記液溜部の前記外部側に配設され、前記計量室に連通可能な保持空間を有する保持部、および前記保持空間に回転可能に保持されるとともに、前記外部側の外端部が前記保持部内から前記外部側に突出した回転塗布体を備えた中栓部材と、を備え、
前記計量室には、有頂筒状に形成されるとともに、内側が前記ステム内に連通する隔壁部材が配設され、
前記計量室の内面と前記隔壁部材の外面との間に、前記隔壁部材の内側と前記保持空間とを連通する連通路が画成され、
前記隔壁部材の天壁部に、前記隔壁部材の内側と前記保持空間とを連通する連通孔が形成され、
前記隔壁部材の内側には、先端が、前記連通孔を通して前記保持空間内に至り、前記回転塗布体のうち、ステム軸方向に沿った前記ステムの内部側の内端部に係合する係合突部と、前記係合突部を前記保持空間に向けて付勢し、前記係合突部の基端側を前記隔壁部材の内面に当接させ、前記連通孔を通した前記隔壁部材の内側と前記保持空間との連通を遮断する付勢体と、が配設されている、ことを特徴とする塗布容器。
【請求項２】
前記吐出器は、内側が前記容器本体内に連通するシリンダと、前記シリンダ内にステム軸方向に摺動可能に嵌合されるとともに、前記ステムのステム軸方向の移動に連係するピストンと、を備えるとともに、前記シリンダおよび前記ピストンのステム軸方向の相対移動に伴い、前記シリンダ内の前記内容物を前記ステムから吐出し、
前記ステムから吐出される前記内容物の少なくとも一回の吐出量が、前記隔壁部材の内容積以下となっている、ことを特徴とする請求項１に記載の塗布容器。
【請求項３】
前記ステムから吐出される前記内容物の少なくとも一回の吐出量が、前記計量室において前記隔壁部材の内側に開口する前記連通路の前記内部側の端部と、前記計量室の底面との間に位置する部分の容積以下となっている、ことを特徴とする請求項２に記載の塗布容器。
【請求項４】
前記隔壁部材は、前記ステム軸方向に弾性変位可能に支持されている、ことを特徴とする請求項１〜３のいずれか一項に記載の塗布容器。
【発明の詳細な説明】
【技術分野】
【０００１】
本発明は、塗布容器に関する。
【背景技術】
【０００２】
従来の塗布容器として、例えば特許文献１に記載されるような容器本体の口部にロールオン式の塗布具を装着してなるものが知られている。この塗布容器においては、塗布具が、塗布ボールと、容器本体の口部に装着されるベース部材と、ベース部材に被さって保持されるとともに塗布ボールを保持する保持部材と、を備え、保持部材が塗布ボールを転動自在に抱持する抱持壁を有し、ベース部材が抱持壁に沿って延在して底部に容器本体の内部とつながる連通孔を形成するドーム壁を有する。
【０００３】
また、この塗布容器は、抱持壁をドーム壁から離間させる方向に付勢して該抱持壁及び該ドーム壁の相互間に定量室（計量室）を形成するベンド壁を一体に設け、抱持壁に定量室内の内容液を塗布ボールの表面に流出させる注出孔を形成するとともに、ベンド壁による付勢力に抗した塗布ボールの押し込みより連通孔内に挿入されて該連通孔を閉塞する弁体を一体に設けている。この構成によれば、塗布ボールが押し込まれた状態でロールオン容器を動かすと、連通孔が弁体で閉塞された定量室内の内容液が、塗布ボールの回転によって被塗布部に塗布される。
【先行技術文献】
【特許文献】
【０００４】
【特許文献１】特開２０１２−２３２７７６号公報
【発明の概要】
【発明が解決しようとする課題】
【０００５】
このような従来の塗布容器は、使用時に容器本体を倒立姿勢（塗布ボールが下方を向いた姿勢）にするものであるが、塗布ボールが強く押し込まれると、定量室の内圧が上昇し、定量室内の内容液が塗布ボール側に供給され過ぎて、液垂れ等が生じることがあった。また、従来の塗布容器では、容器本体が正立姿勢（塗布ボールが上方を向いた姿勢）であると、内容液を定量室に供給できないために、一度、容器本体を倒立姿勢にする必要がある等、その使用性について改善の余地があった。
【０００６】
本発明は、このような事情に鑑みてなされたものであって、その目的は、定量の内容物を被塗布部に均等に塗布でき、また、正立姿勢及び倒立姿勢のどちらでも内容物を計量室に供給できる塗布容器を提供することである。
【課題を解決するための手段】
【０００７】
（１）本発明に係る塗布容器は、内容物が収容される容器本体と、前記容器本体の口部に装着されるとともに、前記内容物を吐出させるステムを有する吐出器と、ステム軸方向に沿った前記ステムの外部側に配設され、前記ステム内に連通可能な計量室を有する液溜部と、前記液溜部の前記外部側に配設され、前記計量室に連通可能な保持空間を有する保持部、および前記保持空間に回転可能に保持されるとともに、前記外部側の外端部が前記保持部内から前記外部側に突出した回転塗布体を備えた中栓部材と、を備え、前記計量室には、有頂筒状に形成されるとともに、内側が前記ステム内に連通する隔壁部材が配設され、前記計量室の内面と前記隔壁部材の外面との間に、前記隔壁部材の内側と前記保持空間とを連通する連通路が画成され、前記隔壁部材の天壁部に、前記隔壁部材の内側と前記保持空間とを連通する連通孔が形成され、前記隔壁部材の内側には、先端が、前記連通孔を通して前記保持空間内に至り、前記回転塗布体のうち、ステム軸方向に沿った前記ステムの内部側の内端部に係合する係合突部と、前記係合突部を前記保持空間に向けて付勢し、前記係合突部の基端側を前記隔壁部材の内面に当接させ、前記連通孔を通した前記隔壁部材の内側と前記保持空間との連通を遮断する付勢体と、が配設されている、ことを特徴とする。
【０００８】
本発明に係る塗布容器によれば、容器本体の口部に装着した吐出器を作動させると、吐出器のステムから、液溜部の計量室に内容物が吐出される。吐出器は、容器本体から一定量の内容物を吸い上げて吐出するため、容器本体が正立姿勢及び倒立姿勢のどちらであっても一定量の内容物を計量室に供給することができる。この計量室には、隔壁部材が配設され、隔壁部材の外面と計量室の内面との間には、回転塗布体を保持する保持空間に連通する連通路が形成されているため、計量室に内容物が吐出されても、計量室内の空気が連通路及び保持空間を通って外部に抜けるため、計量室の内圧が上昇することがない。また、回転塗布体を被塗布部に押し当てると、係合突部が付勢体の付勢に抗して隔壁部材の内面から離間し、この天壁部に形成された連通孔を介して隔壁部材の内側と保持空間が連通し、計量室の内容物が保持空間に供給される。このように、回転塗布体を被塗布部に押し当てても、係合突部が移動して連通孔が開かれるだけなので、計量室の内圧が上昇することがなく、内容物が内圧により押し出されることがない。したがって、回転塗布体の被塗布部上での回転に伴って順次、内容物を被塗布部に塗布することが可能になり、定量の内容物を被塗布部に均等に塗布することができる。
【０００９】
（２）前記吐出器は、内側が前記容器本体内に連通するシリンダと、前記シリンダ内にステム軸方向に摺動可能に嵌合されるとともに、前記ステムのステム軸方向の移動に連係するピストンと、を備えるとともに、前記シリンダおよび前記ピストンのステム軸方向の相対移動に伴い、前記シリンダ内の前記内容物を前記ステムから吐出し、前記ステムから吐出される前記内容物の少なくとも一回の吐出量が、前記隔壁部材の内容積以下となっていても良い。
【００１０】
この場合には、シリンダおよびピストンのステム軸方向の相対移動に伴いステムから吐出されるシリンダ内の内容物の少なくとも一回の吐出量が、隔壁部材の内容積以下であるため、容器本体を倒立姿勢で使用した場合に、隔壁部材の内側から隔壁部材の外側の連通路に内容物があふれ出ることを防止することができる。これにより、容器本体を倒立姿勢にして吐出器から計量室に内容物を供給しても、計量室内の空気が連通路を通って外部に確実に抜けるため、計量室の内圧が上昇することがない。
【００１１】
（３）前記ステムから吐出される前記内容物の少なくとも一回の吐出量が、前記計量室において前記隔壁部材の内側に開口する前記連通路の前記内部側の端部と、前記計量室の底面との間に位置する部分の容積以下となっていても良い。
【００１２】
この場合には、シリンダおよびピストンのステム軸方向の相対移動に伴いステムから吐出されるシリンダ内の内容物の少なくとも一回の吐出量が、計量室において隔壁部材の内側に開口する連通路の内部側の端部と、計量室の底面との間に位置する部分の容積以下であるため、容器本体を正立姿勢で使用した場合に、連通路の入口である内部側の端部が内容物によって水封されることを防止することができる。これにより、容器本体を正立姿勢にして吐出器から計量室に内容物を供給しても、計量室内の空気が連通路を通って外部に確実に抜けるため、計量室の内圧が上昇することがない。
【００１３】
（４）前記隔壁部材は、前記ステム軸方向に弾性変位可能に支持されていても良い。
【００１４】
この場合には、隔壁部材がステム軸方向に弾性変位すると、連通路の幅が増減する。このため、連通路に内容物が導入された場合には、連通路の幅を増減して、連通路に導入された内容物の保持空間への供給を調整することができる。
【発明の効果】
【００１５】
本発明に係る塗布容器によれば、定量の内容物を被塗布部に均等に塗布でき、また、正立姿勢及び倒立姿勢のどちらでも内容物を供給できる。
【図面の簡単な説明】
【００１６】
【図１】本発明の一実施形態に係る塗布容器の全体を示す一部断面図である。
【図２】図１に示す塗布容器の吐出器を示す一部縦断面図である。
【図３】図１に示す塗布容器の液溜部及び中栓部材を示す一部縦断面図である。
【図４】図１に示す塗布容器のキャップ部材を外した状態の液溜部及び中栓部材を示す一部縦断面図である。
【図５】図１に示す塗布容器の隔壁部材を示す平面図である。
【図６】図１に示す塗布容器を倒立姿勢にした状態を示す一部縦断面図である。
【図７】図６に示す塗布容器の液溜部及び中栓部材を示す一部縦断面図である。
【図８】図６に示す塗布容器の使用状態を示す一部縦断面図である。
【図９】図６に示す塗布容器の使用状態を示す一部縦断面図である。
【図１０】本発明の一実施形態の変形例に係る塗布容器の液溜部及び中栓部材を示す一部縦断面図である。
【発明を実施するための形態】
【００１７】
以下、図面を参照し、本発明の一実施形態に係る塗布容器を説明する。
【００１８】
図１に示すように、本実施形態の塗布容器１は、内容物が収容される容器本体２と、容器本体２の口部２０に装着されるとともに、内容物を吐出させるステム３０を有する吐出器３と、ステム３０内に連通可能な計量室４０を有する液溜部４と、計量室４０に連通可能な保持空間５０に回転塗布体５１を備えた中栓部材５と、中栓部材５を覆う有底筒状のキャップ部材６と、を備えている。なお、内容物としては特に限定されるものではないが、例えば液体状の内容物が挙げられる。
【００１９】
容器本体２、吐出器３、液溜部４、中栓部材５及びキャップ部材６の各中心軸は、円筒状に形成されたステム３０の中心軸を通る共通軸上に位置している。以下、この共通軸をステム軸Ｏといい、ステム軸方向に沿ったステム３０の外部側とは、図１において上側をいい、また、ステム軸方向に沿ったステム３０の内部側とは、図１において下側をいう。また、ステム軸方向から見た平面視において、ステム軸Ｏに直交する方向を径方向といい、ステム軸Ｏ回りに周回する方向を周方向という。
【００２０】
容器本体２は、有底円筒状に形成されるとともに、口部２０の外周面には螺旋状に雄ネジが形成されている。この容器本体２は、上端部に口部２０が形成され、下端が開口した筒状部材２１と、筒状部材２１の下端開口を閉塞する底部材２２と、筒状部材２１内に上下摺動自在に収容された中底部材２３と、を備える。中底部材２３の外周面は、筒状部材２１の内周面に上下摺動可能に嵌合する。この中底部材２３は、容器本体２内の内容物の減少に伴い上方に移動する。中底部材２３の中央部には、吐出器本体３２との干渉を避ける逃げ溝２３１が形成されている。
【００２１】
図２に示すように、吐出器３は、容器本体２の口部２０に螺着される装着キャップ３１と、装着キャップ３１に支持された吐出器本体３２と、を備える。装着キャップ３１は、吐出器本体３２を容器本体２に装着させる。装着キャップ３１は、容器本体２の口部２０に装着される周壁部３１１と、周壁部３１１のステム軸方向における中間部から径方向の内側に向けて突出する環状の平面部３１２と、平面部３１２の径方向の内側に配設されて吐出器本体３２を支持する支持部３１３と、を備える。
【００２２】
周壁部３１１の内周面のうち、平面部３１２より下側に位置する部分には、螺旋状に雌ネジが形成されており、容器本体２の口部２０に螺着する。平面部３１２は、ステム軸方向において、容器本体２の口部２０の上端開口縁とシール部材３１４を挟んで対向しており、容器本体２の口部２０をシールする。支持部３１３は、上側に窪む円環溝状に形成され、吐出器本体３２の円筒状のシリンダ３３の上端部と係合する。この装着キャップ３１の内周面３１ｃは、ステム３０がステム軸方向に沿って相対移動する摺動面となっている。
【００２３】
吐出器本体３２は、シリンダ３３と、弁部材３４と、付勢部材３５と、ステム３０と、ピストン３６と、を備える。シリンダ３３は、口部２０から容器本体２内に挿入されている。シリンダ３３は、装着キャップ３１の支持部３１３から下方に向けて延設された基筒部３３１と、基筒部３３１の下端縁に連設され、下方に向かうに従い漸次縮径するテーパ筒３３２と、基筒部３３１の内周面からテーパ筒３３２の内周面に亘ってステム軸方向に延びると共に周方向に間隔をあけて複数形成された縦リブ３３３と、を備える。
【００２４】
弁部材３４は、ステム軸方向に沿って延びる棒状とされ、シリンダ３３内に上下動可能に挿入されている。弁部材３４の下端部の外周面には、径方向に張り出す拡径部３４１が形成されている。
付勢部材３５は、シリンダ３３内において弁部材３４に外挿されている。付勢部材３５は、縦リブ３３３に支持された拡径部３４１とステム３０の下端部との間に介在し、ステム３０を上方に向けて付勢する。
【００２５】
ステム３０は、下ステム３０１および上ステム３０２がステム軸方向に直列に連結されて構成されている。下ステム３０１は、基筒部３３１内に配置されていて、下ステム３０１における下端部内には、弁部材３４の上端部が上下摺動自在に嵌合されている。下ステム３０１の下端部には、シリンダ３３内の内容物をステム３０内に導入させる導入孔３０３が形成されている。シリンダ３３内の液室は、ステム３０の下端部と、弁部材３４の外周面と、シリンダ３３の内周面と、により画成されている。
【００２６】
上ステム３０２は、下ステム３０１の上端部に外嵌されていて、上ステム３０２の上端部は、装着キャップ３１よりも上方に向けて突出している。上ステム３０２の内周面には、径方向の外側から内側に向かうにしたがって下方に向けて傾斜する規制突部３０４が突設されている。規制突部３０４には、離着自在にボール弁３０５が支持されている。規制突部３０４の下端の内径は、ボール弁３０５よりも小さくなっている。これにより、規制突部３０４は、ボール弁３０５の下方への抜けを規制している。
【００２７】
ピストン３６は、ステム３０に連係するとともに、シリンダ３３内に上下摺動自在に収容されている。ピストン３６の外周面は、シリンダ３３の内周面に上下摺動可能に嵌合する。ピストン３６は、導入孔３０３を径方向の外側から閉塞している。ピストン３６は、ステム軸方向に沿って、下ステム３０１の下端と、上ステム３０２の下端と、の間に位置している。ピストン３６の下端部は、下ステム３０１の下端部の外周面に形成された着座部３０６に上方から着座していて、ピストン３６と上ステム３０２の下端とは、ステム軸方向に離間している。
【００２８】
液溜部４は、ステム３０内に連通可能な計量室４０を備える。計量室４０は、ステム軸方向に沿ったステム３０の外部側（上側）に配設されている。液溜部４は、ステム３０の上端部に装着された有底円筒状のベース部材４１を備える。ベース部材４１は、装着部４１１と、ベースノズル部４１２と、装着キャップガイド部４１３と、底面部４１４と、ネジ部４１５と、容器本体カバー部４１６と、を備える。
【００２９】
図１に示すように、容器本体カバー部４１６は、容器本体２の外周面を径方向の外側から覆う円筒状に形成されている。容器本体カバー部４１６の下端面には、上方に向かって半円状に窪む操作溝４１７が形成されている。操作溝４１７には、使用者の指が配置され、操作溝４１７から露出する容器本体２をベース部材４１に対して上方に押し込むことが可能とされている。容器本体カバー部４１６の内周面は、容器本体２がベース部材４１に対して押し込まれたときに、容器本体２の外周面を径方向の外側からガイドする。
【００３０】
図２に示すように、底面部４１４は、容器本体カバー部４１６の上端縁から径方向の内側に向けて突出する環状に形成されている。底面部４１４の上面は、計量室４０の底面を形成している。ネジ部４１５は、容器本体カバー部４１６よりも径方向の内側に配設され、底面部４１４の上面に対して立設した円筒状に形成されている。ネジ部４１５の外周面には、螺旋状に雄ネジが形成されている。装着キャップガイド部４１３は、ネジ部４１５よりも径方向の内側に配設され、底面部４１４の下面に対して垂設された円筒状に形成されている。装着キャップガイド部４１３の外周面は、装着キャップ３１の平面部３１２よりも上方に突出する周壁部３１１の内周面を径方向の内側からガイドする。
【００３１】
装着部４１１は、底面部４１４の径方向の内端縁から下方に突出する円筒状に形成されている。装着部４１１は、上ステム３０２の上端部に外嵌されている。ベースノズル部４１２は、底面部４１４の径方向の内端縁から上方に突出する円筒状に形成されている。ベースノズル部４１２は、ステム３０の上端開口と連通している。ベースノズル部４１２は、底面部４１４の上面に対して立設している。これにより、ベースノズル部４１２を介して計量室４０に供給された内容物が、ベースノズル部４１２を介してステム３０に戻らないようにすることができる。
【００３２】
図３に示すように、中栓部材５は、回転塗布体５１と、中栓本体５２と、を備える。中栓本体５２は、ベース部材４１に装着された、回転塗布体５１を保持する保持筒である。中栓本体５２は、計量室４０に連通可能な保持空間５０を有する保持部５２１を備える。保持部５２１は、ステム軸Ｏ方向に沿ったステム３０の外部側（上側）に向けて延びている。また、中栓本体５２は、ベース部材４１に嵌合された円筒状の中栓嵌合部５２２を備える。中栓嵌合部５２２は、ベース部材４１のネジ部４１５の内周面に内嵌されている。
【００３３】
また、中栓本体５２は、中栓嵌合部５２２の上端縁から突出し、上方に向かって漸次縮径する中栓テーパ部５２６と、中栓テーパ部５２６の上端縁から上方に向かって突出する円筒状の中栓ネック部５２５と、を備える。保持部５２１は、中栓ネック部５２５の上端縁に連結されており、その連結部分から上方に向かって漸次拡径しており、その内面は凹球面状に形成されている。保持部５２１の内面には、他の部位よりも薄肉に形成された薄肉部５２３が形成されている。薄肉部５２３の下端部には、保持部５２１の内面よりも回転塗布体５１側に向けて突出し、下方から回転塗布体５１の外面に対して当接する突起部５２４が形成されている。突起部５２４は、回転塗布体５１を下方から支持する受けリブであり、例えば周方向の全周に亘って環状に形成されている。
【００３４】
また、保持部５２１のうち、回転塗布体５１の中心よりも上側に位置する部分は、上方に向かうに従い漸次、縮径しており、その内面は凹球面状に形成されている。つまり、保持部５２１の内面は、回転塗布体５１の外面に倣った球面状とされている。そして、保持部５２１の上端開口部は、上方に向けて開放されている。保持部５２１の上端開口部の内周面は、回転塗布体５１側に突出して該回転塗布体５１の外面に上方から当接する。なお、突起部５２４と回転塗布体５１との間、及び、保持部５２１の上端開口部と回転塗布体５１のとの間からは、空気が通過可能な隙間が形成されている。
【００３５】
回転塗布体５１は、外面が滑らかな球体であり、外径が保持部５２１の上端部の開口径より拡径されており、これにより保持部５２１の内部から上方に離脱不能とされた状態で回転自在に保持されている。具体的には、回転塗布体５１は、保持部５２１の突起部５２４上に配置された状態で、該突起部５２４と保持部５２１の上端部とによってステム軸Ｏ方向の両側から挟み込まれるように保持されている。この際、回転塗布体５１の中心はステム軸Ｏ上に位置し、回転塗布体５１の外端部は保持部５２１内から外部側（上側）に突出している。
【００３６】
キャップ部材６は、天壁部６０及び周壁部６１を備える有頂筒状に形成されている。周壁部６１の内面には、ベース部材４１に形成されたネジ部４１５に螺着可能な雌ネジが形成されている。周壁部６１がネジ部４１５に螺着されると、周壁部６１が保持部５２１に外挿されると共に、キャップ部材６が中栓部材５を上方から覆う。天壁部６０は、回転塗布体５１から上方に離間している。この天壁部６０の下面には、下方に向けて突出し、ステム軸Ｏと同軸に配置されたリング突条６０１が設けられている。このリング突条６０１は、キャップ部材６の装着時、回転塗布体５１を下方に押圧している。
【００３７】
計量室４０には、有頂筒状に形成されるとともに、内側がステム３０内に連通する隔壁部材７が配設されている。隔壁部材７は、隔壁部７１と、隔壁嵌合部７２と、弾性支持部７３と、を備える。なお、隔壁部材７は、隔壁部７１と、隔壁嵌合部７２と、弾性支持部７３とを一体に成形するのではなく、互いに独立させてこれらを組み合わせて隔壁部材７を構成しても構わない。隔壁嵌合部７２は、円筒状に形成され、中栓本体５２に嵌合されている。隔壁嵌合部７２は、中栓本体５２の中栓嵌合部５２２の内周面に内嵌されている。この隔壁嵌合部７２の内周面は、計量室４０の内面の一部を形成している。
【００３８】
弾性支持部７３は、隔壁嵌合部７２の内周面から径方向の内側に突出し、隔壁部７１をステム軸方向に弾性変位可能に支持する。弾性支持部７３は、図５に示すように、クランク状に屈曲した板バネ部であり、隔壁部７１と隔壁嵌合部７２との間に、周方向において間隔をあけて複数設けられている。弾性支持部７３は、隔壁部７１を常時上方付勢している。隔壁部７１は、図３に示すように、有底円筒状に形成され、その天壁部には隔壁部材７の内側と保持空間５０とを連通する連通孔７１１が形成されている。
【００３９】
隔壁部７１は、弾性支持部７３が接続される部分から上方に向かって突出する円筒状の隔壁円筒部７１３と、隔壁円筒部７１３の上端縁から突出し、上方に向かって漸次縮径する隔壁テーパ部７１２と、隔壁テーパ部７１２の上端縁から上方に向かって突出する円筒状の隔壁ノズル部７１４と、を備える。連通孔７１１は、隔壁ノズル部７１４の内面によって形成されている。隔壁ノズル部７１４の先端は、中栓ネック部５２５の内側を通して保持空間５０内に至り、回転塗布体５１のうち、ステム軸方向に沿ったステム３０の内部側の内端部（下端部）に当接している。
【００４０】
計量室４０の内面と隔壁部材７（隔壁部７１）の外面との間には、隔壁部材７（隔壁部７１）の内側と保持空間５０とを連通する連通路９が画成されている。連通路９は、隔壁部材７の外面を形成する隔壁円筒部７１３の外面と計量室４０の内面を形成する隔壁嵌合部７２の内面との間、および、隔壁部材７の外面を形成する隔壁テーパ部７１２の外面と計量室４０の内面を形成する中栓テーパ部５２６の内面との間、および、隔壁部材７の外面を形成する隔壁ノズル部７１４の外面と計量室４０の内面を形成する中栓ネック部５２５の内面との間に、円環状に形成されている。
【００４１】
隔壁ノズル部７１４の外面には、ステム軸方向に沿って第１溝７１５が形成されている。また、隔壁テーパ部７１２の外面には、隔壁テーパ部７１２の上端縁から放射状に延びる第２溝７１６が形成されている。図５に示すように、第２溝７１６は、第１溝７１５に連通するように形成されている。なお、第２溝７１６は、第１溝７１５よりも多く形成され、周方向において隣り合う第１溝７１５の間にも配設されている。第２溝７１６は、第１溝７１５よりも浅く形成され、図４に示すように、隔壁テーパ部７１２と中栓テーパ部５２６とが接触したときに、隔壁テーパ部７１２と中栓テーパ部５２６との間をシールしつつ、空気が抜ける隙間を形成するようになっている。
【００４２】
図３に示すように、隔壁部材７の内側には、栓部材８が配設されている。栓部材８は、係合突部８１と、係合突部８１と一体に成形された付勢体８２とで構成されている。なお、係合突部８１と付勢体８２とを一体に成形するのではなく、互いに独立させてこれらを組み合わせて栓部材８を構成しても構わない。係合突部８１の先端８１１側の部分は、ステム軸方向に沿って延在した棒状体に形成され、ステム軸方向に沿って移動可能に連通孔７１１に挿通されている。先端８１１は、連通孔７１１を通して保持空間５０内に至り、回転塗布体５１のうち、ステム軸方向に沿ったステム３０の内部側の内端部（下端部）に係合している。係合突部８１の先端８１１側の部分には、ステム軸方向に沿って溝８１３が形成されている。
【００４３】
係合突部８１の基端８１２側の部分は、先端８１１側から基端８１２に向かうに従い漸次拡径している。付勢体８２は、例えば樹脂材料で形成されたバネであり、上端が係合突部８１の基端８１２に固定されるとともに、下端が固定リング８３を介してベースノズル部４１２の基端部に外嵌されている。そして、この付勢体８２は、係合突部８１を常時上方付勢しており、図４に示す無負荷の状態（キャップ部材６が取り外された状態）で係合突部８１の先端８１１を保持空間５０に突出させ、係合突部８１の基端８１２側の外周面を隔壁部材７（隔壁テーパ部７１２）の内面に接触させることで、連通孔７１１を通した隔壁部材７の内側と保持空間５０との連通を遮断させている。
【００４４】
次に、上記のように構成された塗布容器１の作用について説明する。
【００４５】
塗布容器１を使用するためには、先ず、塗布容器１からキャップ部材６を取り外す。キャップ部材６を取り外すと、回転塗布体５１への押圧が解除されるので、図４に示すように、付勢体８２によって係合突部８１が、回転塗布体５１を保持部５２１の内面から上方に持ち上げ、回転塗布体５１と突起部５２４との押し付け状態が解除されると共に、回転塗布体５１の外面と保持部５２１の内面との間にスペースが形成される。
【００４６】
また、付勢体８２によって係合突部８１の基端８１２側が隔壁部材７の内面に当接するため、連通孔７１１を通した隔壁部材７の内側と保持空間５０との連通が遮断される。また、弾性支持部７３によって隔壁部７１（隔壁テーパ部７１２）の外面が中栓本体５２（中栓テーパ部５２６）の内面に当接するため、連通路９がシールされる。なお、隔壁テーパ部７１２には、浅い第２溝７１６が形成されているため、連通路９を通した空気抜きは可能とされている。
【００４７】
次に、図６に示すように、容器本体カバー部４１に形成された操作溝４１７を介して、容器本体２の底面を回転塗布体５１側に押し込む。このように容器本体２を押し込むと、容器本体２の内容物が吐出器３から計量室４０に吐出される。具体的には、図２に示すように、先ずピストン３６及びシリンダ３３が一体に、ステム３０に対して回転塗布体５１側に押し込まれ、弁部材３４がシリンダ３３の下端開口部を閉塞するとともに、ピストン３６と着座部３０６との間に隙間が形成される。これにより、導入孔３０３を通してシリンダ３３内とステム３０内とが連通する。
【００４８】
そして、容器本体２がさらに押し込まれると、上ステム３０２がピストン３６に突き当たり、シリンダ３３がピストン３６およびステム３０に対して回転塗布体５１側に押し込まれる。これにより、シリンダ３３内の内容物が加圧されて導入孔３０３を通してステム３０内に圧送される。図７に示すように、塗布容器１が倒立姿勢の場合、ボール弁３０５が重力によって規制突部３０４から離間しており、ステム３０からベースノズル部４１２を介して計量室４０に内容物が吐出される。一方、図４に示すように、塗布容器１が正立姿勢の場合、ボール弁３０５が内容物の圧力によって規制突部３０４から離間し、ステム３０からベースノズル部４１２を介して計量室４０に内容物が吐出される。この内容物の吐出後、ボール弁３０５は規制突部３０４に当接し、内容物の逆流を防止する。
【００４９】
図２に戻り、その後、容器本体２の押し込みを解除すると、付勢部材３５の弾性復元力により、容器本体２およびシリンダ３３が、ステム３０およびピストン３６に対して復元移動する。これにより、ピストン３６が着座部３０６に着座して導入孔３０３が閉塞され、シリンダ３３内とステム３０内との連通が遮断されるとともに、弁部材３４がシリンダ３３の下端開口部を開放し、容器本体２内とシリンダ３３内とが連通する。そして、シリンダ３３内の液室が拡大して内圧が負圧になることで、容器本体２内の内容物がシリンダ３３内に流入する。
【００５０】
このように、本実施形態に係る塗布容器１によれば、容器本体２の口部２０に装着した吐出器３を作動させると、吐出器３のステム３０から、液溜部４の計量室４０に内容物が吐出される。吐出器３は、容器本体２から一定量の内容物を吸い上げて吐出するため、容器本体２が正立姿勢及び倒立姿勢のどちらであっても一定量の内容物を計量室４０に供給することができる。この計量室４０には、図７に示すように、隔壁部材７が配設され、隔壁部材７（隔壁部７１）の外面と計量室４０の内面との間には、回転塗布体５１を保持する保持空間５０に連通する連通路９が形成されているため、計量室４０に内容物が吐出されても、計量室４０内の空気が連通路９及び保持空間５０を通って外部に抜けるため、計量室４０の内圧が上昇することがない。
【００５１】
また、本実施形態では、図７に示すように、シリンダ３３およびピストン３６のステム軸方向の相対移動に伴いステム３０から吐出されるシリンダ３３内の内容物（符号Ｌで示す）の少なくとも一回の吐出量が、隔壁部材７の内容積以下とされている。この構成によれば、塗布容器１を倒立姿勢で使用した場合に、隔壁部材７の内側から隔壁部材７の外側の連通路９に内容物があふれ出ることを防止することができる。これにより、塗布容器１を倒立姿勢にして吐出器３から計量室４０に内容物を供給しても、計量室４０内の空気が連通路９を通って外部に確実に抜けるため、計量室４０の内圧が上昇することがない。なお、隔壁部材７の内容積に応じて、内容物を複数回吐出させることも可能である。
【００５２】
さらに、本実施形態では、図４に示すように、シリンダ３３およびピストン３６のステム軸方向の相対移動に伴いステム３０から吐出されるシリンダ３３内の内容物（符号Ｌで示す）の少なくとも一回の吐出量が、計量室４０において隔壁部材７の内側に開口する連通路９の内部側（下側）の端部９１と、計量室４０の底面との間に位置する部分の容積以下とされている。この構成によれば、容器本体２を正立姿勢で使用した場合に、連通路９の入口である内部側の端部９１が内容物によって水封されることを防止することができる。これにより、容器本体２を正立姿勢にして吐出器３から計量室４０に内容物を供給しても、計量室４０内の空気が連通路９を通って外部に確実に抜けるため、計量室４０の内圧が上昇することがない。なお、計量室４０において隔壁部材７の内側に開口する連通路９の内部側（下側）の端部９１と、計量室４０の底面との間に位置する部分の容積に応じて、内容物を複数回吐出させることも可能である。
【００５３】
計量室４０に供給された内容物を塗布する場合、図８に示すように、塗布容器１を倒立姿勢（回転塗布体５１が下方を向いた姿勢）にした状態で、保持部５２１から突出する回転塗布体５１の一部を被塗布部に押し当てる。回転塗布体５１を被塗布部に押し当てると、係合突部８１の基端８１２側が付勢体８２の付勢に抗して隔壁部材７の内面から離間し、隔壁部材７の天壁部に形成された連通孔７１１を介して隔壁部材７の内側と保持空間５０が連通し、計量室４０の内容物が保持空間５０に供給される。そして、回転塗布体５１を被塗布部に押し当てながら、該被塗布部に沿って移動させ、回転塗布体５１を回転させると、内容物が保持部５２１から突出した回転塗布体５１の外面を介して被塗布部に塗布される。
【００５４】
このように、本実施形態では、回転塗布体５１を被塗布部に押し当てても、係合突部８１が移動して連通孔７１１が開かれるだけなので、計量室４０の内圧が上昇することがなく、内容物が内圧により押し出されることがない。したがって、回転塗布体５１の被塗布部上での回転に伴って順次、内容物を被塗布部に塗布することが可能になり、定量の内容物を被塗布部に均等に塗布することができる。
【００５５】
また、本実施形態では、図９に示すように、隔壁部７１は、弾性支持部７３によってステム軸方向に弾性変位可能に支持されていているため、連通路９の幅を増減することができる。すなわち、回転塗布体５１を被塗布部に押し当てると、隔壁部７１の外面が弾性支持部７３の付勢に抗して中栓本体５２の内面から離間し、連通路９の幅が広くなる。これにより、計量室４０への内容物の供給後、塗布容器１の姿勢変化等により、連通路９に内容物が導入された場合には、連通路９の幅を広げて、連通路９に導入された内容物を保持空間５０に排出させ易くすることができる。
【００５６】
以上説明したように、本実施形態の塗布容器１によれば、吐出器３を備えているため、容器本体２が正立姿勢及び倒立姿勢のどちらであっても一定量の内容物を計量室４０に供給することができる。また、この計量室４０には、隔壁部材７が配設され、保持空間５０に連通する連通路９が形成されているため、計量室４０に内容物が吐出されても、計量室４０内の空気が連通路９及び保持空間５０を通って外部に抜けるため、計量室４０の内圧が上昇することがない。さらに、回転塗布体５１を被塗布部に押し当てても、係合突部８１が移動して連通孔７１１が開かれるだけなので、計量室４０の内圧が上昇することがなく、内容物が内圧により押し出されることがない。
したがって、本実施形態に係る塗布容器１によれば、定量の内容物を被塗布部に均等に塗布でき、また、正立姿勢及び倒立姿勢のどちらでも内容物を供給できる。
【００５７】
また、図７に示すように、シリンダ３３およびピストン３６のステム軸方向の相対移動に伴いステム３０から吐出されるシリンダ３３内の内容物の少なくとも一回の吐出量が、隔壁部材７の内容積以下であるため、容器本体２を倒立姿勢で使用した場合に、隔壁部材７の内側から隔壁部材７の外側の連通路９に内容物があふれ出ることを防止でき、計量室４０内の空気が連通路９を通って外部に確実に抜ける。
また、図４に示すように、シリンダ３３およびピストン３６のステム軸方向の相対移動に伴いステム３０から吐出されるシリンダ３３内の内容物の少なくとも一回の吐出量が、計量室４０において隔壁部材７の内側に開口する連通路９の内部側の端部９１と、計量室４０の底面との間に位置する部分の容積以下であるため、容器本体２を正立姿勢で使用した場合に、連通路９の入口である内部側の端部９１が内容物によって水封されることを防止でき、計量室４０内の空気が連通路９を通って外部に確実に抜ける。
さらに、図８に示すように、隔壁部材７がステム軸方向に弾性変位可能に支持されているため、連通路９の幅を増減して、連通路９に導入された内容物の保持空間５０への供給を調整することができる。これにより、連通路９に導入された内容物を保持空間５０に排出させ易くすることができる。
【００５８】
なお、本発明の技術的範囲は上述した実施形態に限定されるものではなく、本発明の趣旨を逸脱しない範囲において種々の変更を加えることが可能である。
【００５９】
例えば、図１０に示す一変形例に係る塗布容器１Ａの隔壁部材７Ａのように、隔壁部材７Ａが、上述した隔壁嵌合部７２および弾性支持部７３を備えない構成であってもよい。この場合、隔壁部７１自体が、中栓本体５２に内嵌された状態となり、第１溝７１５Ａが、ステム軸方向に沿って、隔壁ノズル部７１４と隔壁テーパ部７１２と隔壁円筒部７１３とに亘って形成されている。この第１溝７１５Ａは、上述した第２溝７１６と同様の深さで形成されており、隔壁部材７と中栓本体５２との間をシールしつつ、空気が抜ける隙間（連通路９）を形成するようになっている。この構成であっても、計量室４０内の空気が連通路９及び保持空間５０を通って外部に抜けるため、計量室４０の内圧が上昇することがない。
【００６０】
また、例えば、キャップ部材６は必須なものではなく、具備しなくても構わない。但し、未使用時等において、密閉性を向上することができるので、キャップ部材６を具備することが好ましい。なお、キャップ部材６を具備する場合、リング突条６０１をなくし、天壁部６０で回転塗布体５１を下方に押圧しても構わないし、リング突条６０１に代わる何らかの凸部を天壁部６０に形成して回転塗布体５１を押圧しても構わない。
【００６１】
また、薄肉部５２３や突起部５２４についても必須なものではなく、具備しなくても構わない。但し、キャップ部材６を取り外した際、回転塗布体５１を上方に持ち上げるスペースを形成できるので、係合突部８１を抵抗少なくスムーズに作動させて、良好なシール性を確保することができる。よって、薄肉部５２３及び突起部５２４を形成することが好ましい。
【００６２】
また、回転塗布体の一例として表面が滑らかな球体である回転塗布体５１を例に挙げて説明したが、この場合に限定されるものではなく、例えば、ゴルフボールのように、表面に複数のディンプルが形成された球状の回転体であっても構わないし、円柱状の回転体等であっても構わない。
【００６３】
その他、本発明の趣旨に逸脱しない範囲で、前記実施形態における構成要素を周知の構成要素に置き換えることは適宜可能である。
【符号の説明】
【００６４】
１、１Ａ  塗布容器
２  容器本体
３  吐出器
４  液溜部
５  中栓部材
６  キャップ部材
７、７Ａ  隔壁部材
９  連通路
２０  口部
３３  シリンダ
３６  ピストン
４０  計量室
５０  保持空間
５１  回転塗布体
７１  隔壁部
７３  弾性支持部
８１  係合突部
８２  付勢体
９１  端部
７１１  連通孔
８１１  先端
８１２  基端
Ｌ  内容物
Ｏ  ステム軸
【図１】
2018090262.tif 000003
【図２】
2018090262.tif 000004
【図３】
2018090262.tif 000005
【図４】
2018090262.tif 000006
【図５】
2018090262.tif 000007
【図６】
2018090262.tif 000008
【図７】
2018090262.tif 000009
【図８】
2018090262.tif 000010
【図９】
2018090262.tif 000011
【図１０】
2018090262.tif 000012